(57)【要約】【課題】測定対象物の旋光度を正しく測定するための新しい手法の提案。【解決手段】血糖値測定装置１において、直交分離部３０は、直線偏光が被検体Ｓを透過した透過光を直交分離する。光検出部４０（第１光検出部４０Ａ及び第２光検出部４０）は、直交分離された光を受光する。諸元算出部１１０は、被検体Ｓを既知物質とした場合の光検出部４０の検出信号それぞれの和及び差を用いて光学系諸元を算出する。そして、旋光度算出部１２０は、被検体Ｓを測定対象物とした場合の光検出部４０の検出信号と、光学系諸元とを用いて、当該測定対象物の旋光度を算出する。【選択図】図２
2014130045.tif 000002
【特許請求の範囲】
【請求項１】
直線偏光が被検体を透過した透過光を直交分離する直交分離部と当該直交分離された光を受光する複数の光検出部とを備えた光学装置の光学系諸元を、前記被検体を既知物質とした場合の前記光検出部の検出信号それぞれの和及び差を用いて算出することと、
前記被検体を測定対象物とした場合の前記光検出部の検出信号と、前記光学系諸元とを用いて、当該測定対象物の旋光度を算出することと、
を含む旋光度測定方法。
【請求項２】
前記光学系諸元を算出することは、
前記検出信号の和及び差を用いて前記検出信号の比を算出することと、
前記検出信号の比を用いて前記直線偏光の偏光軸の角度を算出することと、
を含む、
請求項１に記載の旋光度測定方法。
【請求項３】
前記光学装置は、前記検出信号それぞれの電流の和を求め、当該和電流を電圧に変換した後に増幅する第１の増幅と、前記検出信号それぞれの電流の差を求め、当該差電流を電圧に変換した後に増幅する第２の増幅とを行う信号処理回路を備えており、
前記光学系諸元を算出することは、前記第１の増幅後の信号を前記検出信号の和とし、前記第２の増幅後の信号を前記検出信号の差として用いて、前記光学系諸元を算出することを含む、
請求項１又は２に記載の旋光度測定方法。
【請求項４】
前記信号処理回路は、一の増幅器を時分割に使用して前記第１の増幅と前記第２の増幅とを行うことと、２つの増幅器を使用して前記第１の増幅と前記第２の増幅とを並列に行うこととが可能に構成され、
前記光学系諸元を算出することは、前記一の増幅器を時分割に使用して得られた前記検出信号を用いて、前記光学系諸元を算出することを含み、
前記旋光度を算出することは、前記２つの増幅器を並列に使用して得られた前記検出信号を用いて、前記旋光度を算出することを含む、
請求項３に記載の旋光度測定方法。
【請求項５】
前記光学装置の信号処理諸元として前記第１の増幅の増幅率と前記第２の増幅の増幅率との比を算出することを含み、
前記旋光度を算出することは、前記光検出部の検出信号と、前記光学系諸元と、前記信号処理諸元とを用いて、前記測定対象物の旋光度を算出することを含む、
請求項３又は４に記載の旋光度測定方法。
【請求項６】
前記測定対象物を生体の透過性を有する所定部位あるいは当該生体の体液として請求項１〜５の何れか一項に記載の旋光度測定方法を用いて旋光度を算出することと、
前記算出された旋光度を用いて所定物質の成分濃度を算出することと、
を含む成分濃度測定方法。
【請求項７】
直線偏光が被検体を透過した透過光を直交分離する直交分離部と、
前記直交分離された光を受光する複数の光検出部と、
前記被検体を既知物質とした場合の前記光検出部の検出信号それぞれの和及び差を用いて光学系諸元を算出する諸元算出部と、
前記被検体を測定対象物とした場合の前記光検出部の検出信号と、前記光学系諸元とを用いて、当該測定対象物の旋光度を算出する旋光度算出部と、
を備えた旋光度測定装置。
【請求項８】
前記測定対象物を生体の透過性を有する所定部位あるいは当該生体の体液として旋光度を算出する請求項７に記載の旋光度測定装置と、
前記算出された旋光度を用いて所定物質の成分濃度を算出する成分濃度算出部と、
を備えた医療機器。
【発明の詳細な説明】
【技術分野】
【０００１】
本発明は、測定対象物の旋光度を測定する方法等に関する。
【背景技術】
【０００２】
物質を透過した光を測定することで、その物質に直接触れることなく、物質の成分を知ることができる。例えば、旋光度を調べると、測定対象物に含有された所定成分の濃度が推定できる。旋光とは、例えばグルコースのような光学活性物質を直線偏光が通過するとき、その偏光面が回転する性質のことである。
【０００３】
この旋光性を利用した技術として、例えば特許文献１には、直線偏光が被検体を透過した透過光を偏光ビームスプリッターによって直交分離し、その直交分離された偏光成分それぞれを２つの受光素子で受光し、その受光レベルの差から旋光度を測定する技術が開示されている。
【先行技術文献】
【特許文献】
【０００４】
【特許文献１】国際公開第９９／３０１３２号
【発明の概要】
【発明が解決しようとする課題】
【０００５】
しかし、特許文献１に代表される従来の技術では、直線偏光の偏光軸の角度が４５度であるとの仮定に基づき導出される近似的な演算式に従って旋光度を算出するのが通常であった。つまり、旋光度を正しく算出するためには、測定対象物に入射する直線偏光の偏光軸の角度（以下、「偏光軸角度」と称す。）がちょうど４５度となるように光学装置が設計されていなければならない。
【０００６】
偏光軸角度は、光源からの測定光を直線偏光に変換する直線偏光子に依存し、偏光軸角度がちょうど４５度となるように直線偏光子を配置構成しなければならない。しかし、これは現実問題として困難である。偏光軸角度が４５度から少しでもずれていると、従来技術を用いて算出される旋光度には誤差が生じてしまう。微小な角度変化を捉える必要のある旋光度の測定では、偏光軸角度といった光学装置に係る諸量に含まれる誤差が、旋光度の測定精度を低下させる要因の１つとなる。
【０００７】
本発明は上述した課題に鑑みてなされたものであり、その目的とするところは、測定対象物の旋光度を正しく測定するための新しい手法を提案することにある。
【課題を解決するための手段】
【０００８】
以上の課題を解決するための第１の発明は、直線偏光が被検体を透過した透過光を直交分離する直交分離部と当該直交分離された光を受光する複数の光検出部とを備えた光学装置の光学系諸元を、前記被検体を既知物質とした場合の前記光検出部の検出信号それぞれの和及び差を用いて算出することと、前記被検体を測定対象物とした場合の前記光検出部の検出信号と、前記光学系諸元とを用いて、当該測定対象物の旋光度を算出することと、を含む旋光度測定方法である。
【０００９】
また、第７の発明として、直線偏光が被検体を透過した透過光を直交分離する直交分離部と、前記直交分離された光を受光する複数の光検出部と、前記被検体を既知物質とした場合の前記光検出部の検出信号それぞれの和及び差を用いて光学系諸元を算出する諸元算出部と、前記被検体を測定対象物とした場合の前記光検出部の検出信号と、前記光学系諸元とを用いて、当該測定対象物の旋光度を算出する旋光度算出部と、を備えた旋光度測定装置を構成することとしてもよい。
【００１０】
この第１の発明等によれば、被検体を測定対象物とする前に、被検体を既知物質として、光学装置の光学系諸元を算出する。そのため、被検体を測定対象物とした場合の光検出部の検出信号と、算出した光学系諸元とを用いることで、当該測定対象物の旋光度を正しく算出することが可能となる。
【００１１】
また、第２の発明として、第１の発明の旋光度測定方法における前記光学系諸元を算出することは、前記検出信号の和及び差を用いて前記検出信号の比を算出することと、前記検出信号の比を用いて前記直線偏光の偏光軸の角度を算出することと、を含む、旋光度測定方法を構成することとしてもよい。
【００１２】
この第２の発明によれば、複数の光検出部の検出信号の和及び差を用いて検出信号の比を算出する。そして、当該検出信号の比を用いて直線偏光の偏光軸の角度を算出する。実施形態で詳細は後述するが、光検出部の検出信号の比を用いることで、直線偏光の偏光軸の角度を簡単に算出することができる。
【００１３】
また、第３の発明として、第１又は第２の発明の旋光度測定方法において、前記光学装置は、前記検出信号それぞれの電流の和を求め、当該和電流を電圧に変換した後に増幅する第１の増幅と、前記検出信号それぞれの電流の差を求め、当該差電流を電圧に変換した後に増幅する第２の増幅とを行う信号処理回路を備えており、前記光学系諸元を算出することは、前記第１の増幅後の信号を前記検出信号の和とし、前記第２の増幅後の信号を前記検出信号の差として用いて、前記光学系諸元を算出することを含む、旋光度測定方法を構成することとしてもよい。
【００１４】
この第３の発明によれば、検出信号それぞれの電流の和を求めた後に和電流を電圧に変換し、また、検出信号それぞれの電流の差を求めた後に差電流を電圧に変換する。このため、それぞれの検出信号を個別に電圧に変換した後に電圧の和や差を求める場合と比べて、電流電圧変換の際に生じ得る誤差（例えば、いわゆる丸め誤差）の影響を低減させることができる。この結果、第１の増幅後の信号を検出信号の和とし、第２の増幅後の信号を検出信号の差として用いることで、光学系諸元を精度良く算出することが可能となる。
【００１５】
また、第４の発明として、第３の発明の旋光度測定方法において、前記信号処理回路は、一の増幅器を時分割に使用して前記第１の増幅と前記第２の増幅とを行うことと、２つの増幅器を使用して前記第１の増幅と前記第２の増幅とを並列に行うこととが可能に構成され、前記光学系諸元を算出することは、前記一の増幅器を時分割に使用して得られた前記検出信号を用いて、前記光学系諸元を算出することを含み、前記旋光度を算出することは、前記２つの増幅器を並列に使用して得られた前記検出信号を用いて、前記旋光度を算出することを含む、旋光度測定方法を構成することとしてもよい。
【００１６】
この第４の発明によれば、信号処理回路の一の増幅器を時分割に使用して第１の増幅と第２の増幅とを行い、その結果として得られた検出信号を用いることで、光学系諸元を精度良く算出することができる。また、２つの増幅器を並列に使用して得られた検出信号を用いることで、測定対象物による旋光度を精度良く算出することができる。
【００１７】
また、第５の発明として、第３又は第４の発明の旋光度測定方法において、前記光学装置の信号処理諸元として前記第１の増幅の増幅率と前記第２の増幅の増幅率との比を算出することを含み、前記旋光度を算出することは、前記光検出部の検出信号と、前記光学系諸元と、前記信号処理諸元とを用いて、前記測定対象物の旋光度を算出することを含む、旋光度測定方法を構成することとしてもよい。
【００１８】
検出信号の増幅を行う際の設計上の増幅率には、利用する素子などの精度等に起因する誤差が含まれ得るため、この誤差によって旋光度の測定精度が低下することが考えられる。そこで、第５の発明のように、光学装置の信号処理諸元として第１の増幅の増幅率と第２の増幅の増幅率との比を算出する。そして、光検出部の検出信号と、光学系諸元と、信号処理諸元とを用いて測定対象物の旋光度を算出することで、旋光度の測定精度を一層向上させることができる。
【００１９】
また、第６の発明として、前記測定対象物を生体の透過性を有する所定部位あるいは当該生体の体液として、第１〜第５の何れかの発明の旋光度測定方法を用いて旋光度を算出することと、前記算出された旋光度を用いて所定物質の成分濃度を算出することと、を含む成分濃度測定方法を構成することとしてもよい。
【００２０】
また、第８の発明として、前記測定対象物を生体の透過性を有する所定部位あるいは当該生体の体液として旋光度を算出する第７の発明の旋光度測定装置と、前記算出された旋光度を用いて所定物質の成分濃度を算出する成分濃度算出部と、を備えた医療機器を構成することとしてもよい。
【００２１】
この第６の発明等によれば、測定対象物を生体の透過性を有する所定部位あるいは当該生体の体液として旋光度を算出する。そして、算出された旋光度を用いて所定物質の成分濃度を算出する。これにより、生体や体液に含有された所定物質の成分濃度を正しく測定することが可能となる。
【図面の簡単な説明】
【００２２】
【図１】血糖値測定装置のシステム構成の一例を示す図。
【図２】血糖値測定装置の機能構成の一例を示すブロック図。
【図３】血糖値測定処理の流れを示すフローチャート。
【図４】変形例における光学装置の構成の一例を示す図。
【図５】変形例における信号処理回路の構成の一例を示す図。
【発明を実施するための形態】
【００２３】
以下、図面を参照して、本発明の好適な実施形態の一例について説明する。但し、本発明を適用可能な実施形態が以下説明する実施形態に限定されるわけではないことは勿論である。
【００２４】
１．システム構成
図１は、本実施形態における血糖値測定装置１のシステム構成例を示す図である。本実施形態の血糖値測定装置１は、医療機器の一種であり、被検者の血液中のグルコース濃度を非侵襲的に測定する装置である。血液は体液の一種であり、グルコースは血液に含有された既知物質であるため、本実施形態の血糖値測定装置１は、生体内或いは生体の体液に含有された所定の既知物質の成分濃度を測定する医療機器の一種である。
【００２５】
血糖値測定装置１は、例えば被検者の耳たぶに装着されるプローブ２と、プローブ２から出力される測定データに基づいて血糖値を算出する処理装置５とを備えて構成され、処理装置５は、オペレーターが血糖値の測定に係る各種操作を入力するための入力装置である操作ボタン３と、処理装置５によって算出された血糖値を表示するビデオモニター４と、制御基板６とを備えて構成される。
【００２６】
プローブ２は、例えば耳たぶを両側から挟み込むようにして固定・装着されるクリップタイプの測定治具である。プローブ２には、少なくとも所定波長の測定光を直線偏光化する偏光部２０や、直線偏光が耳たぶを透過した透過光を直交分離する直交分離部３０、直交分離された光を受光する光検出部４０等が内蔵されている。プローブ２からは、光検出部４０で検出された検出信号が信号線を介して処理装置５に出力される。
【００２７】
ビデオモニター４は、表示装置であって、フラットパネルディスプレイ、タッチパネルディスプレイ等によって構成される。適宜、スピーカーを内蔵することとしてもよい。ビデオモニター４には、処理装置５によって算出された被検者の血糖値の情報が数値やグラフ形式で表示される。
【００２８】
制御基板６は、図２に示すように、プローブ２から出力される光検出部４０の検出信号を信号処理する信号処理回路５０Ａと、ＣＰＵ（Central Processing Unit）やＤＳＰ（Digital Signal Processor）、ＡＳＩＣ（Application Specific Integrated Circuit）等を有する制御部１００と、ＲＯＭ（Read Only Memory）やフラッシュＲＯＭ、ＲＡＭ（Random Access Memory）等の各種ＩＣメモリーやハードディスクなどの記録媒体等を有する記憶部６００と、外部機器との間でデータ送受を実現するインターフェイスＩＣや接続端子を有する通信部５００とを有して構成される。制御基板６は、信号処理回路５０Ａによる信号処理結果に基づいて制御部１００が被検者の血糖値を算出・測定する処理を行い、血糖値の測定値をビデオモニター４（表示部３００）に表示させる制御をする。
【００２９】
２．機能構成
図２は、血糖値測定装置１の機能構成の一例を示すブロック図である。血糖値測定装置１は、主要な構成として、光学装置７Ａと、制御部１００と、操作部２００と、表示部３００と、音出力部４００と、通信部５００と、記憶部６００とを有して構成される。
【００３０】
光学装置７Ａは、光源１０と、偏光部２０と、直交分離部３０と、光検出部４０と、信号処理回路５０Ａとを有して構成される。偏光部２０と直交分離部３０との間に被検体Ｓが配置される。
【００３１】
光源１０は、複数の波長の測定光を生成して出射可能に構成された照射部であり、例えば多波長光源として構成される。光源１０は、制御部１００の制御の下、指示された波長の測定光を生成して出射する。
【００３２】
偏光部２０は、光源１０の出射光を直線偏光に変換する偏光素子（直線偏光子）である。この偏光部２０としては、例えばグラントムソンプリズムを適用することができる。
【００３３】
直交分離部３０は、直線偏光が被検体Ｓを透過した透過光を直交成分、すなわち互いに９０度異なる偏光成分に分離する光学素子である。この直交分離部３０としては、例えばウォラストンプリズムを適用することができる。
【００３４】
光検出部４０は、直交分離部３０によって直交分離された光を受光する受光素子であり、フォトダイオード等の光検出器を有して構成される。光検出部４０は、第１光検出部４０Ａと第２光検出部４０Ｂとの２つの光検出部を有して構成され、直交分離部３０によって直交分離された互いに直交する偏光成分（Ｐ偏光成分及びＳ偏光成分）をそれぞれ受光する。
【００３５】
本実施形態において、光検出部４０は、光電変換を行って受光光量に応じた電流（光電流）の検出信号を出力するように構成されている。以下の説明では、第１光検出部４０Ａからの検出信号の電流を「第１電流」と称し、第２光検出部４０Ｂからの検出信号の電流を「第２電流」と称して説明する。
【００３６】
なお、本実施形態では光検出部４０が第１光検出部４０Ａ及び第２光検出部４０Ｂの２個の光検出部を有して構成されることとして説明するが、３個以上の光検出部を有することとしてもよい。
【００３７】
信号処理回路５０Ａは、光検出部４０での検出信号を信号処理する回路であり、加算器５１と、減算器５３と、スイッチ５５と、電流電圧変換器５７（第１電流電圧変換器５７Ａ、第２電流電圧変換器５７Ｂ、第３電流電圧変換器５７Ｃ）と、増幅器５９（第１増幅器５９Ａと、第２増幅器５９Ｂと及び第３増幅器５９Ｃ）とを有して構成される。
【００３８】
加算器５１は、第１電流と第２電流とを加算した和電流をスイッチ５５及び第１電流電圧変換器５７Ａに出力する。
減算器５３は、第１電流と第２電流とを減算した差電流をスイッチ５５及び第２電流電圧変換器５７Ｂに出力する。
【００３９】
スイッチ５５は、加算器５１又は減算器５３と第３電流電圧変換器５７Ｃとを接続するスイッチである。スイッチ５５は、制御部１００によるスイッチング制御に従って接続先を切り替える。スイッチ５５が加算器５１側に切り替えられている場合は、和電流が第３電流電圧変換器５７Ｃに出力される。それに対し、スイッチ５５が減算器５３側に切り替えられている場合は、差電流が第３電流電圧変換器５７Ｃに出力される。
【００４０】
電流電圧変換器５７は、光検出部４０の検出信号の電流を電圧に変換する変換器である。この電流電圧変換器としては、オペアンプを用いた電流電圧変換回路等の公知の構成を適用することができる。
【００４１】
第１電流電圧変換器５７Ａは、加算器５１から出力される和電流を電圧に変換し、和電圧Ｖ１＋２として第１増幅器５９Ａに出力する。
第２電流電圧変換器５７Ｂは、減算器５３から出力される差電流を電圧に変換し、差電圧Ｖ１−２として第２増幅器５９Ｂに出力する。
第３電流電圧変換器５７Ｃは、スイッチ５５の切り替えに応じて、加算器５１から出力される和電流と減算器５３から出力される差電流とを時分割に電圧に変換して第３増幅器５９Ｃに出力する。スイッチ５５が加算器５１側に切り替えられている場合は、和電圧Ｖ１＋２が第３増幅器５９Ｃに出力され、スイッチ５５が減算器５３側に切り替えられている場合は、差電圧Ｖ１−２が第３増幅器５９Ｃに出力される。
【００４２】
増幅器５９は、電流電圧変換器５７から出力される電圧を所定の増幅率で増幅する増幅器（アンプ）である。
第１増幅器５９Ａは、第１電流電圧変換器５７Ａから出力される和電圧Ｖ１＋２を第１増幅率Ｇ＋で増幅し、増幅和電圧Ｖ＋として制御部１００に出力する。Ｖ＋＝Ｇ＋・Ｖ１＋２である。
第２増幅器５９Ｂは、第２電流電圧変換器５７Ｂから出力される差電圧Ｖ１−２を第２増幅率Ｇ−で増幅し、増幅差電圧Ｖ−として制御部１００に出力する。Ｖ−＝Ｇ−・Ｖ１−２である。
【００４３】
第２増幅率Ｇ−の設計値は、第１増幅率Ｇ＋の設計値よりも大きな値として定められている。差電圧Ｖ１−２は第１電圧Ｖ１と第２電圧Ｖ２との差であり、微小な値になると考えられることから、和電圧Ｖ１＋２に対する増幅率よりも高い増幅率で増幅する必要があるためである。
【００４４】
第３増幅器５９Ｃは、第３電流電圧変換器５７Ｃから出力される電圧（和電圧Ｖ１＋２及び差電圧Ｖ１−２）を所定の増幅率Ｇで増幅して制御部１００に出力する。スイッチ５５が加算器５１側に切り替えられている場合は、第１増幅電圧Ｖa＝Ｇ・Ｖ１＋２が制御部１００に出力され、スイッチ５５が減算器５３側に切り替えられている場合は、第２増幅電圧Ｖb＝Ｇ・Ｖ１−２が制御部１００に出力される。
【００４５】
制御部１００は、血糖値測定装置１の各部を統括的に制御する制御装置である。本実施形態において、制御部１００は、主要な機能部として、諸元算出部１１０と、旋光度算出部１２０と、血糖値算出部１３０とを有する。但し、これらの機能部は、一実施例として記載したものに過ぎず、必ずしもこれら全ての機能部を必須構成要素としなければならないわけではない。また、これら以外の機能部を必須構成要素として追加してもよいことは勿論である。
【００４６】
諸元算出部１１０は、光学装置７Ａの光学系諸元を、被検体Ｓを既知物質とした場合の光検出部４０の検出信号それぞれの和及び差を用いて算出する。また、諸元算出部１１０は、信号処理回路５０Ａの信号処理に係る諸元（以下、「信号処理諸元」と称す。）を算出する。これらの諸元の算出方法については詳細に後述する。
【００４７】
旋光度算出部１２０は、被検体Ｓを測定対象物とした場合の光検出部４０の検出信号と、諸元算出部１１０によって算出された光学系諸元及び信号処理諸元とを用いて、当該測定対象物の旋光度を算出する。本実施形態の血糖値測定装置１は、測定対象物の旋光度を算出する機能を有しているため、旋光度測定装置を備えていると言うことができる。
【００４８】
血糖値算出部１３０は、旋光度算出部１２０によって算出された旋光度を用いて、血液に含有されているグルコースの濃度（血糖値）を算出する。血糖値算出部１３０は、旋光度算出部１２０によって算出された旋光度を用いて測定対象物中の所定物質の成分濃度を算出する成分濃度算出部の一例である。
【００４９】
操作部２００は、ボタンスイッチ等を有して構成される入力装置であり、押下されたボタンの信号を制御部１００に出力する。操作部２００は、図１における操作ボタン３に相当する。
【００５０】
表示部３００は、制御部１００から入力される表示信号に基づく各種表示を行う表示装置である。表示部３００には、血糖値算出部１３０によって算出された血糖値等の情報が表示される。表示部３００は、図１におけるビデオモニター４に相当する。
【００５１】
音出力部４００は、制御部１００から入力される音出力信号に基づく各種音出力を行う音出力装置である。例えば、測定開始や測定終了、エラー発生等の報知音を出力する。
【００５２】
通信部５００は、制御部１００の制御に従って、装置内部で利用される情報を外部の情報制御装置との間で送受するための通信装置である。通信部５００の通信方式としては、所定の通信規格に準拠したケーブルを介して有線接続する形式や、近距離無線通信を利用して無線接続する形式等、種々の方式を適用可能である。通信方式は、有線／無線を問わない。
【００５３】
記憶部６００は、血糖値測定装置１のシステムプログラムや、諸元算出機能、旋光度測定機能、血糖値測定機能といった各種機能を実現するための各種プログラム、データ等を記憶している。また、各種処理の処理中データ、処理結果などを一時的に記憶するワークエリアを有する。
【００５４】
記憶部６００には、制御部１００によって読み出され、血糖値測定処理（図３参照）として実行される血糖値測定プログラム６１０が記憶されている。血糖値測定プログラム６１０は、諸元算出処理（図３参照）として実行される諸元算出プログラム６２０をサブルーチンとして含む。これらの処理については、フローチャートを用いて詳細に後述する。
【００５５】
また、記憶部６００には、光学系諸元及び信号処理諸元を算出したデータである算出諸元データ６３０と、旋光度の測定データである測定旋光度データ６４０と、血糖値の測定データである測定血糖値データ６５０とが記憶される。
【００５６】
３．原理
３−１．旋光度の算出
本実施形態における旋光度算出の原理について説明する。以下の説明では、第１光検出部４０Ａから出力される第１電流を電流電圧変換器によって変換した場合の電圧を第１電圧Ｖ１と称し、第２光検出部４０Ｂから出力される第２電流を電流電圧変換器によって変換した場合の電圧を第２電圧Ｖ２と称して説明する。
【００５７】
被検体Ｓの透過率を「Ｔ」とし、測定対象物の旋光度を「θ」と表記すると、第１電圧Ｖ１及び第２電圧Ｖ２は、それぞれ次式（１）及び（２）のように表すことができる。
【数１】
2014130045.tif 000003
【数２】
2014130045.tif 000004
【００５８】
式（１）及び（２）において、「θ0」は直線偏光の偏光軸の角度（偏光軸角度）、「Ｉθ０」は偏光部２０を通過した後の直線偏光の光量である。偏光軸角度θ0は、例えば第１光検出部４０Ａへの入射光量が最大となる角度を０°と定義することができる。偏光軸角度θ0は、光学装置７Ａの光学系諸元の一例である。
【００５９】
このとき、第１電流電圧変換器５７Ａから出力される和電圧Ｖ１＋２と、第２電流電圧変換器５７Ｂから出力される差電圧Ｖ１−２とは、式（１）及び（２）を用いて、それぞれ次式（３）及び（４）のように表すことができる。
【数３】
2014130045.tif 000005
【数４】
2014130045.tif 000006
【００６０】
第１増幅器５９Ａは、第１増幅率Ｇ＋で和電圧Ｖ１＋２を増幅する。また、第２増幅器５９Ｂは、第２増幅率Ｇ−で差電圧Ｖ１−２を増幅する。従って、第１増幅器５９Ａから出力される増幅和電圧Ｖ＋と、第２増幅器５９Ｂから出力される増幅差電圧Ｖ−とは、それぞれ次式（５）及び（６）のように表すことができる。
【数５】
2014130045.tif 000007
【数６】
2014130045.tif 000008
【００６１】
ここで、増幅和電圧Ｖ＋と増幅差電圧Ｖ−との比を算出すると、次式（７）のようになる。
【数７】
2014130045.tif 000009
【００６２】
式（７）において、第１増幅率Ｇ＋と第２増幅率Ｇ−との比（以下、「増幅率比」と称す。）を「Ｃ」と置き換えた（Ｇ−／Ｇ＋＝Ｃ）。この増幅率比Ｃは、信号処理回路５０Ａの信号処理諸元の一例である。
【００６３】
従って、式（７）から、増幅和電圧Ｖ＋及び増幅差電圧Ｖ−と、偏光軸角度θ0と、増幅率比Ｃとを用いることで、測定対象物の旋光度θを次式（８）のように算出することができる。
【数８】
2014130045.tif 000010
【００６４】
３−２．諸元の算出
偏光軸角度θ0は、光学装置７Ａの製造時或いは初期設定時に、第１光検出部４０Ａへの入射光量と第２光検出部４０Ｂへの入射光量とがほぼ等しくなるように調整される。つまり、第１光検出部４０Ａでの受光光量と第２光検出部４０Ｂでの受光光量とがほぼ等しくなるように偏光部２０の角度が調整される。この場合、偏光軸角度θ0はおよそ４５度となる（θ0≒４５°）。ここで問題となるのは、光学装置７Ａにおいて偏光軸角度θ0が正確に４５度ジャストであるとは限らない点である。
【００６５】
また、信号処理回路５０Ａを構成する第１増幅器５９Ａ及び第２増幅器５９Ｂの設計上の増幅率には、利用する素子などの精度等に起因する誤差が含まれ得る。つまり、実際に回路が動作する際には、設計上の増幅率で必ずしも電圧が増幅されるとは限らず、増幅の際に誤差が生じ得る。
【００６６】
式（８）によれば、旋光度θの算出には偏光軸角度θ0及び増幅率比Ｃが必要である。従って、偏光軸角度θ0及び増幅率比Ｃの正しい値を算出しておかなければ、旋光度θを正しく算出することはできない。そこで、本実施形態では、偏光軸角度θ0を光学装置７Ａの光学系諸元とし、増幅率比Ｃを信号処理回路５０Ａの信号処理諸元として、これらの諸元を測定対象物の旋光度θの測定前に算出する。
【００６７】
（１）偏光軸角度θ0の算出
被検体Ｓを大気とした場合の旋光度θは「０°」である。従って、第１電圧Ｖ１及び第２電圧Ｖ２は、それぞれ次式（９）及び（１０）のように表すことができる。
【数９】
2014130045.tif 000011
【数１０】
2014130045.tif 000012
【００６８】
第２電圧Ｖ２を第１電圧Ｖ１で除算すると、次式（１１）のようになる。
【数１１】
2014130045.tif 000013
【００６９】
従って、式（１１）から、偏光軸角度θ0を次式（１２）のように算出することができる。
【数１２】
2014130045.tif 000014
【００７０】
式（１２）によれば、第２電圧Ｖ２と第１電圧Ｖ１との電圧比Ｖ2/1を算出し、この電圧比Ｖ2/1を用いることで、偏光軸角度θ0を算出することができる。そこで、本実施形態では、以下の手順で偏光軸角度θ0を算出する。
【００７１】
先ず、測定対象物を配置して測定を行う前に、被検体Ｓを大気として測定を行う。具体的には、測定対象物を配置しない状態で、光源１０に所定の測定光を出射させるように制御する。そして、スイッチ５５を加算器５１側に切り替え、第３増幅器５９Ｃから出力される第１増幅電圧Ｖａを取得する。次いで、スイッチ５５を減算器５３側に切り替え、第３増幅器５９Ｃから出力される第２増幅電圧Ｖｂを取得する。
【００７２】
和電圧Ｖ1＋２を増幅率Ｇで増幅した電圧が第１増幅電圧Ｖａであり、差電圧Ｖ1−２を増幅率Ｇで増幅した電圧が第２増幅電圧Ｖｂであるため、次式（１３）及び（１４）がそれぞれ成立する。
【数１３】
2014130045.tif 000015
【数１４】
2014130045.tif 000016
【００７３】
式（１３）及び（１４）から、第１増幅電圧Ｖａ及び第２増幅Ｖｂを用いて、次式（１５）のように電圧比Ｖ2/1を算出することができる。
【数１５】
2014130045.tif 000017
【００７４】
式（１５）に従って電圧比Ｖ2/1を算出したならば、この値を式（１２）に代入することで偏光軸角度θ0を算出する。
【００７５】
なお、この偏光軸角度θ0の算出では、その算出精度を向上させるために、例えば一定時間の間に複数回の測定を行って電圧比Ｖ2/1を算出し、それらの平均値を用いるなどして偏光軸角度θ0を算出するようにすると好適である。
【００７６】
（２）増幅率比Ｃの算出
被検体Ｓを大気とした状態では旋光度θは「０°」である。従って、式（７）において「θ＝０°」とすることで、増幅率比Ｃを次式（１６）のように算出することができる。
【数１６】
2014130045.tif 000018
【００７７】
つまり、上記のように偏光軸角度θ０を算出した後、第１増幅器５９Ａから出力される増幅和電圧Ｖ＋と、第２増幅器５９Ｂから出力される増幅差電圧Ｖ−と、算出した偏光軸角度θ０とを用いて、式（１６）に従って増幅率比Ｃを算出する。
【００７８】
４．処理の流れ
図３は、制御部１００が、記憶部６００に記憶されている血糖値測定プログラム６１０に従って実行する血糖値測定処理の流れを示すフローチャートである。
【００７９】
最初に、制御部１００は、記憶部６００に記憶されている諸元算出プログラム６２０に従って諸元算出処理を実行する（ステップＡ１〜Ａ７）。
最初に、諸元算出部１１０は、所定波長の測定光を光源１０に出射させる制御を行う（ステップＡ１）。そして、諸元算出部１１０は、信号処理回路５０Ａから電圧を取得する（ステップＡ３）。
【００８０】
次いで、諸元算出部１１０は、ステップＡ３で取得した電圧を用いて、式（１２）に従って偏光軸角度θ0を算出し、光学系諸元として記憶部６００の算出諸元データ６３０に記憶させる（ステップＡ５）。また、諸元算出部１１０は、ステップＡ３で取得した電圧を用いて、式（１６）に従って増幅率比Ｃを算出し、信号処理諸元として記憶部６００の算出諸元データ６３０に記憶させる（ステップＡ７）。そして、諸元算出部１１０は、諸元算出処理を終了する。
【００８１】
諸元算出処理を行った後、制御部１００は、測定対象物の配置指示を行う（ステップＡ９）。本実施形態では、測定対象物を耳たぶとするため、プローブ２を被検者の耳たぶに取り付けるように指示する。
【００８２】
次いで、制御部１００は、複数の測定波長それぞれについてループＡの処理を行う（ステップＡ１１〜Ａ１７）。例えば、測定波長の数は、測定対象物に含有されている成分のうち、峻別を希望する既知成分の数と同数又はそれ以上の数の波長を選定すると好適である。
【００８３】
ループＡの処理では、制御部１００は、当該測定波長の測定光を光源１０に出射させる制御を行う（ステップＡ１３）。そして、旋光度算出部１２０が、旋光度算出処理を行う（ステップＡ１５）。具体的には、記憶部６００の算出諸元データ６３０に記憶されている偏光軸角度θ0及び増幅率比Ｃと、第１増幅器５９Ａ及び第２増幅器５９Ｂから出力される増幅和電圧Ｖ＋及び増幅差電圧Ｖ−とを用いて、式（８）に従って旋光度θを算出する。そして、算出した旋光度θを測定旋光度データ６４０として記憶部６００に記憶させた後、次の測定波長へと処理を移行する。
【００８４】
全ての測定波長についてステップＡ１３及びＡ１５の処理を行ったならば、制御部１００は、ループＡの処理を終了する（ステップＡ１７）。その後、血糖値算出部１３０は、血糖値算出処理を行う（ステップＡ１９）。血糖値算出処理では、各測定波長それぞれについて測定旋光度データ６４０に記憶された旋光度θを用いて血糖値を算出し、測定血糖値データ６５０として記憶部６００に記憶させる。
【００８５】
一般に、旋光性を有する物質の旋光度は濃度に比例することが知られている。波長λにおける成分ｉの比旋光度（光路長１０ｃｍ＝１ｄｍ当たり、濃度１ｇ／ｍｌ当たりの旋光角度）をαｉ（λ）［（°・ｇ）／（ｄｍ・ｍｌ）］、成分濃度をｃｉ［ｇ／ｄｌ］、測定対象物の光軸に平行な長さをｄ［ｍｍ］とすると、複数成分からなる測定対象物の旋光度θ（λ）［°］は、次式（１７）のように表すことができる。
【数１７】
2014130045.tif 000019
【００８６】
本実施形態では、血液に含有されているグルコースの濃度（つまり血糖値）を算出する。このため、血液に含有されている既知物質の比旋光度αｉ（λ）を予め求めて記憶部６００に記憶させておき、血液に含有されている峻別を希望する既知物質の数と同数又はそれ以上の測定波長について式（１７）を連立させた連立方程式を解くことで、グルコースの濃度を算出する。
【００８７】
その後、制御部１００は、測定を終了するか否かを判定する（ステップＡ２１）。測定を継続すると判定したならば（ステップＡ２１；Ｎｏ）、制御部１００は、ステップＡ３に戻る。また、測定を終了すると判定したならば（ステップＡ２１；Ｙｅｓ）、制御部１００は、血糖値測定処理を終了する。
【００８８】
５．作用効果
血糖値測定装置１において、光学装置７Ａは、直線偏光が被検体Ｓを透過した透過光を直交分離する直交分離部３０と、前記直交分離された光を受光する２つの光検出部４０（４０Ａ及び４０Ｂ）とを有する。諸元算出部１１０は、被検体Ｓを大気とした場合の光検出部４０の検出信号それぞれの和及び差を用いて光学系諸元を算出する。そして、旋光度算出部１２０は、被検体Ｓを被検者の所定部位（例えば耳たぶ）とした場合の光検出部４０の検出信号と、光学系諸元とを用いて、当該測定対象物の旋光度を算出する。
【００８９】
測定対象物を対象として測定を行う前に、被検体Ｓを大気とした場合の光検出部４０の検出信号それぞれの和及び差を用いて光学装置７Ａの光学系諸元を算出しておき、これを測定対象物の旋光度の算出に利用することで、測定対象物の旋光度の測定精度を向上させることができる。
【００９０】
また、本実施形態の光学装置７Ａは、光検出部４０の検出信号それぞれの電流の和を求め、当該和電流を電圧に変換した後に増幅する第１増幅器５９Ａと、検出信号それぞれの電流の差を求め、当該差電流を電圧に変換した後に増幅する第２増幅器５９Ｂとを有する信号処理回路５０Ａを備えている。そして、諸元算出部１１０は、第１増幅器５９Ａによる第１の増幅後の信号を検出信号の和とし、第２増幅器５９Ｂによる第２の増幅後の信号を検出信号の差として用いて、光学系諸元を算出する。
【００９１】
この信号処理回路５０Ａの構成とは異なり、最初に光検出部４０の検出信号の電流をそれぞれ電圧に変換し、それらの電圧の和を求めたり、それらの電圧の差を求めるような回路を構成することも可能ではある。しかし、この回路構成では、２つの光検出部４０Ａ，４０Ｂの検出信号の電流をそれぞれ個別に電圧に変換するため、それぞれの検出信号を電圧に変換する際の誤差が重畳的に和及び差に乗ってしまう。特に、相互の検出信号が僅差の場合には、電圧に変換する際に丸め誤差が生じ、変換後の電圧差がゼロになる可能性がある。しかし、信号処理回路５０Ａでは、光検出部４０の検出信号の電流の和を求めた後に和電流を電圧に変換する。また、検出信号の電流の差を求めた後に差電流を電圧に変換する。このため、上記のような誤差が生じることを防止できる。
【００９２】
６．変形例
本発明を適用可能な実施例は、上記の実施例に限定されることなく、本発明の趣旨を逸脱しない範囲で適宜変更可能であることは勿論である。以下、変形例について説明する。なお、上記実施形態と同一の構成については同一の符号を付して再度の説明を省略する。
【００９３】
６−１．測定対象物
上記の実施形態では、測定対象物を生体の耳たぶとしたが、耳たぶの代わりに、指先や指の表皮部等としてもよい。また、測定対象物を生体の透過性を有する所定部位とするのではなく、当該生体の体液としてもよい。この場合の体液は血液に限らず、リンパ液や間質液、体腔液等としてもよい。測定対象物を体液とする場合は、体液をキュベット等の試料容器に封入し、この試料容器の直線偏光を入射させて、上記の実施形態と同様の手順で血液の旋光度の測定を行えばよい。
【００９４】
６−２．濃度の測定成分
上記の実施形態では、血液に含有されているグルコースの濃度を測定する実施形態について説明したが、濃度の測定成分はこれに限られないことは勿論である。例えば、血中に含まれるヘモグロビンの濃度を測定することも可能である。また、体液を間質液とする場合は、間質液に含まれるタンパク質やアミノ酸、脂肪酸等の成分の濃度を測定することが可能である。
【００９５】
６−３．既知物質
上記の実施形態では、諸元を算出する際に被検体とする既知物質を大気として説明したが、既知物質は大気に限られるわけではない。旋光度が既知である物質であれば、大気以外の物質を被検体として測定を行い、上記の実施形態と同様の手順で、光学系諸元や信号処理諸元を算出することが可能である。
【００９６】
６−４．血糖値測定装置の構成
上記の実施形態では、病院等の医療機関で使用される医療機器としての血糖値測定装置１を例に挙げて説明した。しかし、必ずしも医療機関で使用される医療機器としなければならないわけではなく、家庭等で簡易的に血糖値を測定するための小型電子機器としての血糖測定器（血糖計）を構成することとしてもよい。この場合、処理装置５を携帯機器として、プローブ２と有線或いは無線接続する構成としてもよい。また、プローブ２を、指先を挿入可能な環状形状に構成し、プローブ２と処理装置５とを一体に構成する等してもよい。
【００９７】
６−５．光学装置の構成
図４は、変形例における光学装置７Ｂの構成の一例を示す図である。光学装置７Ｂは、光源１０と、偏光部２０と、無偏光分割部２５と、直交分離部３０と、光検出部４０と、信号処理回路５０Ｂと、光検出部６０とを備えて構成される。なお、図２の光学装置７Ａと同一の構成要素については同一の符号を付して、再度の説明を省略する。
【００９８】
光学装置７Ｂでは、被検体Ｓと直交分離部３０との間に無偏光分割部２５が設けられている。無偏光分割部２５は、入射光の偏光状態を維持したまま、入射光を所定の光量比率で透過光と反射光とに分割する偏光素子である。無偏光分割部２５としては、例えば、無偏光ビームスプリッターを適用することができる。無偏光分割部２５による入射光の分割光量比率をＵ−：Ｕ＋（但し、Ｕ−＋Ｕ＋＝１）として説明する。
【００９９】
無偏光分割部２５によって分割された一方の光は、直交分離部３０に入射して、Ｐ偏光成分とＳ偏光成分とに分離される。また、無偏光分割部２５によって分割された他方の光は、光検出部６０で受光される。光検出部６０からは、受光光量に応じた電流が信号処理回路５０Ｂに出力される。
【０１００】
信号処理回路５０Ｂは、減算器５３と、第２電流電圧変換器５７Ｂと、第２増幅器５９Ｂと、第１電流電圧変換器５７Ａと、第１増幅器５９Ａと、スイッチ５５と、第３電流電圧変換器５７Ｃと、第３増幅器５９Ｃとを備えて構成される。
【０１０１】
減算器５３は、第１光検出部４０Ａから出力される第１電流と第２光検出部４０Ｂから出力される第２電流との差電流を求めて第２電流電圧変換器５７Ｂに出力する。第２電流電圧変換器５７Ｂは、差電流を差電圧に変換する。第２電流電圧変換器５７Ｂから出力される電圧は差電圧Ｖ１−２に透過光の光量割合Ｕ−を乗算したＵ−・Ｖ１−２となる。この場合、第２増幅器５９Ｂは、第２電流電圧変換器５７Ｂから出力される差電圧Ｕ−・Ｖ１−２を第２増幅率Ｇ−で増幅し、増幅差電圧Ｖ−＝Ｇ−・Ｕ−・Ｖ１−２として制御部１００に出力する。
【０１０２】
第１電流電圧変換器５７Ａは、光検出部６０から出力される電流を電圧に変換する。第１電流電圧変換器５７Ａから出力される電圧は、第１電圧Ｖ１と第２電圧Ｖ２との和電圧Ｖ１＋２に、無偏光分割部２５での反射光の光量割合Ｕ＋を乗算したＵ＋・Ｖ１＋２となる。この場合、第１増幅器５９Ａは、第１電流電圧変換器５７Ａから出力される和電圧Ｕ＋・Ｖ１＋２を第１増幅率Ｇ＋で増幅し、増幅和電圧Ｖ＋＝Ｇ＋・Ｕ＋・Ｖ１＋２として制御部１００に出力する。
【０１０３】
スイッチ５５は、制御部１００によるスイッチング制御に従って、減算器５３と光検出部６０とを時分割に第３電流電圧変換器５７Ｃに接続する。第３電流電圧変換器５７Ｃは、スイッチ５５から出力される光電流を電圧に変換し、それぞれ差電圧Ｕ−・Ｖ１−２及び和電圧Ｕ＋・Ｖ１＋２として第３増幅器５９Ｃに出力される。第３増幅器５９Ｃは、差電圧Ｕ−・Ｖ１−２及び和電圧Ｕ＋・Ｖ１＋２をそれぞれ所定の増幅率Ｇで増幅し、増幅差電圧Ｇ・Ｕ−・Ｖ１−２及び増幅和電圧Ｇ・Ｕ＋・Ｖ１＋２として制御部１００にそれぞれ出力する。
【０１０４】
諸元算出部１１０は、上記の実施形態と同様に、光学装置７Ｂの光学系諸元と、信号処理回路５０Ｂの信号処理諸元とを算出する。
具体的に説明する。第２増幅器５９Ｂから出力される増幅差電圧Ｖ−と、第１増幅器５９Ａから出力される増幅和電圧Ｖ＋とは、それぞれ次式（１８）及び（１９）のように表すことができる。
【数１８】
2014130045.tif 000020
【数１９】
2014130045.tif 000021
【０１０５】
従って、式（１８）及び（１９）より、次式（２０）を導出することができる。
【数２０】
2014130045.tif 000022
但し、「（Ｇ−・Ｕ−）／（Ｇ＋・Ｕ＋）＝Ｃ´」と置き換えた。
【０１０６】
本変形例では、この第１増幅器５９Ａと第２増幅器５９Ｂの増幅率比Ｇ−／Ｇ＋と、無偏光分割部２５による光量の分割比Ｕ−／Ｕ＋とを乗算した乗算値Ｃ´を、光学系諸元及び信号処理諸元を含む諸元として算出する。
【０１０７】
式（２０）より、旋光度θは、次式（２１）のように算出することができる。
【数２１】
2014130045.tif 000023
【０１０８】
諸元算出部１１０は、信号処理回路５０Ｃから出力される増幅差電圧Ｇ・Ｕ−・Ｖ１−２及び増幅和電圧Ｇ・Ｕ＋・Ｖ１＋２を用いて第１電圧Ｖ１と第２電圧Ｖ２の電圧比Ｖ２／１を算出し、この電圧比Ｖ２／１を用いて、式（１２）に従って偏光軸角度θ０を算出する。
【０１０９】
また、諸元算出部１１０は、第２増幅器５９Ｂから出力される増幅差電圧Ｖ−と、第１増幅器５９Ａから出力される増幅和電圧Ｖ＋と、偏光軸角度θ０とを用いて、次式（２２）に従って乗算値Ｃ´を算出する。
【数２２】
2014130045.tif 000024
【０１１０】
なお、ここでは乗算値Ｃ´を諸元として算出することとして説明したが、無偏光分割部２５による光量の分割比率の設計値は既知であるため、分割比率を定数として扱うこととして、第１増幅率Ｇ＋と第２増幅率Ｇ−との増幅率比Ｃ＝Ｇ−／Ｇ＋を信号処理諸元として算出することとしてもよい。また、第１増幅率Ｇ＋と第２増幅率Ｇ−との設計値は既知であるため、増幅率比を定数として扱うこととして、無偏光分割部２５による光量の分割比率Ｕ−／Ｕ＋を光学装置７Ｂの光学系諸元として算出することとしてもよい。
【０１１１】
６−６．信号処理回路の構成
上記の実施形態では、光検出部４０の検出信号の和及び差を用いて検出信号の比を算出したが、検出信号の和及び差を用いずに、光検出部４０の検出信号から検出信号の比を直接的に算出することも可能である。
【０１１２】
図５は、変形例における信号処理回路５０Ｃの回路構成の一例を示す図である。信号処理回路５０Ｃでは、第１光検出部４０Ａの検出信号が加算器５１及び減算器５３に出力されるとともに、スイッチ５５に出力されるように構成されている。また、第２光検出部４０Ｂの検出信号が加算器５１及び減算器５３に出力されるとともに、スイッチ５５に出力されるように構成されている。
【０１１３】
この信号処理回路５０Ｃでは、第１光検出部４０Ａの検出信号の第１電流と、第２光検出部の検出信号の第２電流とが、スイッチ５５によって時分割に切り替えられて第３電流電圧変換器５７Ｃに出力される。第３電流電圧変換器５７Ｃは、スイッチ５５が第１光検出部４０Ａ側に切り替えられている場合には、第１電流を電圧に変換し、第１電圧Ｖ１として第３増幅器５９Ｃに出力する。また、スイッチ５５が第２光検出部側に切り替えられている場合には、第２電流を電圧に変換し、第２電圧Ｖ２として第３増幅器５９Ｃに出力する。
【０１１４】
第３増幅器５９Ｃは、第３電流電圧変換器５７Ｃから出力される第１電圧Ｖ１及び第２電圧Ｖ２を所定の増幅率Ｇで増幅し、第１増幅電圧Ｇ・Ｖ１及び第２増幅電圧Ｇ・Ｖ２としてそれぞれ制御部１００に出力する。
【０１１５】
この場合、制御部１００は、第３増幅器５９Ｃから出力される第１増幅電圧Ｇ・Ｖ１と第２増幅電圧Ｇ・Ｖ２の比を算出することによって電圧比Ｖ２／１を算出する。そして、算出した電圧比Ｖ２／１を用いて、式（１２）に従って偏光軸角度θ０を算出する。
【０１１６】
６−７．偏光用光学素子
上記の実施形態では、偏光部２０が、例えばグラントムソンプリズムを有して構成されるものとして説明したが、これ以外の偏光用光学素子を有する構成としてもよいことは勿論である。例えば、同じグランタイプの偏光用光学素子であるグランテーラープリズムを有する構成としてもよい。
【０１１７】
また、上記の実施形態では、直交分離部３０が、例えばウォラストンプリズムを有して構成されるものとして説明したが、直交分離部３０を構成する偏光用光学素子も適宜変更可能である。例えば、グランレーザープリズムやローションプリズムといった直交分離機能を有する偏光用光学素子を有する構成としてもよい。
【符号の説明】
【０１１８】
１  血糖値測定装置、  ２  プローブ、  ３  操作ボタン、  ４  ビデオモニター、  ５  処理装置、  ６  制御基板、  ７Ａ，７Ｂ  光学装置、  １０  光源、  ２０  偏光部、  ３０  直交分離部、  ４０  光検出部、  ４０Ａ  第１光検出部、  ４０Ｂ  第２光検出部、  ５０Ａ，５０Ｂ  信号処理回路、  ５１  加算器、  ５３  減算器、  ５５  スイッチ、  ５７  電流電圧変換器、  ５８  増幅器、  １００  制御部、  ２００  操作部、  ３００  表示部、  ４００  音出力部、  ５００  通信部、  ６００  記憶部
【図１】
2014130045.tif 000025
【図２】
2014130045.tif 000026
【図３】
2014130045.tif 000027
【図４】
2014130045.tif 000028
【図５】
2014130045.tif 000029